(57)【要約】【課題】本発明は、携帯電話の内部空間を少なく占有するカメラモジュール及びカメラモジュール組み立て方法を提供することを目的とする。【解決手段】少なくとも１つの鏡筒を備える鏡筒モジュールと、該鏡筒モジュールに装着される固体撮像素子と、を含むカメラモジュールにおいて、前記鏡筒の外周面と平面とが隣接する箇所が曲面に形成されている。固体撮像素子を提供し、外周面と平面とが隣接する箇所を曲面に形成される外部鏡筒を提供し、外周面と平面とが隣接する箇所を曲面に形成される内部鏡筒を提供し、前記内部鏡筒を前記外部鏡筒に装着して鏡筒モジュールを形成し、前記鏡筒モジュールに固体撮像素子を装着してカメラモジュールを組み立てることを特徴とするカメラモジュール組み立て方法。【選択図】図３
2008079315.tif 000002
【特許請求の範囲】
【請求項１】
少なくとも１つの鏡筒を備える鏡筒モジュールと、該鏡筒モジュールに装着される固体撮像素子と、を含むカメラモジュールにおいて、
前記鏡筒の外周面と平面とが隣接する箇所が曲面に形成されていることを特徴とするカメラモジュール。
【請求項２】
前記鏡筒モジュールは、外部鏡筒と、内部鏡筒と、を含み、
前記外部鏡筒の外周面と平面とが隣接する箇所が曲面に形成され、
前記内部鏡筒の外周面と平面とが隣接する箇所が曲面に形成されていることを特徴とする請求項１に記載のカメラモジュール。
【請求項３】
前記鏡筒モジュールに装着された前記固体撮像素子は、上表面を備える基板と、前記基板の上表面に付着されるイメージセンサと、前記基板とイメージセンサとを電気的に接続する溶接線と、を含むことを特徴とする請求項１に記載のカメラモジュール。
【請求項４】
前記外部鏡筒は、内壁に径方向に沿って軸心へ突出される環状突起と、該環状突起の底面に付着されて前記イメージセンサを保護する透明蓋と、をさらに含むことを特徴とする請求項３に記載のカメラモジュール。
【請求項５】
前記イメージセンサが前記外部鏡筒、環状突起、透明蓋、及び基板によって形成された密閉室に密閉されることを特徴とする請求項４に記載のカメラモジュール。
【請求項６】
鏡筒モジュールは、中心線が前記イメージセンサの受光部の中心線と重なるように、前記内部鏡筒の内部に装着されるレンズをさらに含むことを特徴とする請求項２に記載のカメラモジュール。
【請求項７】
固体撮像素子を提供し、
外周面と平面とが隣接する箇所を曲面に形成される外部鏡筒を提供し、
外周面と平面とが隣接する箇所を曲面に形成される内部鏡筒を提供し、
前記内部鏡筒を前記外部鏡筒に装着して鏡筒モジュールを形成し、
前記鏡筒モジュールに固体撮像素子を装着してカメラモジュールを組み立てることを特徴とするカメラモジュール組み立て方法。
【請求項８】
前記内部鏡筒及び前記外部鏡筒を射出成型方法に製造し、前記内部鏡筒の外周面と前記外部鏡筒の外周面とに互いに螺合するねじ山がそれぞれ設けられることを特徴とする請求項７に記載のカメラモジュール組み立て方法。
【請求項９】
前記鏡筒モジュールに装着された前記固体撮像素子は、上表面を備える基板と、前記基板の上表面に付着されるイメージセンサと、前記基板とイメージセンサとを電気的に接続する溶接線と、を含むことを特徴とする請求項７に記載のカメラモジュール組み立て方法。
【請求項１０】
前記外部鏡筒は、内壁に径方向に沿って軸心へ突出される環状突起と、該環状突起の底面に付着されて前記イメージセンサを保護する透明蓋と、をさらに含むことを特徴とする請求項９に記載のカメラモジュール組み立て方法。
【発明の詳細な説明】
【技術分野】
【０００１】
本発明はカメラモジュール及びカメラモジュール組み立て方法に係わり、特に携帯電話に使用されるカメラモジュール及びカメラモジュール組み立て方法に関するものである。
【背景技術】
【０００２】
電気電子技術及び精密加工業の発展に伴って、カメラ付き携帯電話が使用者に広く使用されている。携帯電話の使用者の要求を満足させるために、前記カメラの画質を高める必要がある。しかし、携帯電話のサイズがますます小さくなるので、前記カメラが占める空間を減らす必要もある。
【０００３】
図１は、携帯電話１００に装着された従来のカメラモジュール３００を示す図である。前記カメラモジュール３００は、中空円筒状の外部鏡筒３０１と、該外部鏡筒３０１の内に装着された内部鏡筒３０２と、を含む。前記外部鏡筒３０１の内壁には、内部ねじ山が形成され、前記鏡筒３０２の外壁には、前記内部ねじ山と螺合する外部ねじ山が形成されている。前記外部鏡筒３０１の一端には、軸心に垂直な方向へ延在して形成される階段部が形成され、前記鏡筒３０２の他端にも、軸心に垂直な方向へ延在して形成される階段部が形成されている。前記携帯電話１００は、曲面部１００４及び平面部１００５から構成されるカバー１００１を含む。
【０００４】
前記カメラモジュール３００を前記携帯電話１００に装着する時、前記カメラモジュール３００の階段部の外縁が直角に形成されたので、該階段部を前記曲面部１００４と前記平面部１００５とが隣接した角部１００２に当接させるか、前記角部１００２の下側に配置された前記平面部１００５に当接させるしかない。これは、前記階段部を前記カバー１００１の曲面部１００４に当接させれば、両者が密着することができなく、両者の間に間隙が形成され、前記カメラモジュール３００が揺動する可能性があるためである。且つ、前記鏡筒３０２の階段部を前記カバー１００１の曲面部１００４に当接させる時、前記階段部の外縁が直角に形成されたので、前記携帯電話１００のカバー１００１を破損する可能性がある。
【０００５】
上述した問題を解決するために、前記カメラモジュール３００の階段部を前記カバー１００１の平面部１００５に当接させると、前記携帯電話１００のカバー１００１の上側に無用な空間１００３が形成され、前記カメラモジュール３００が占める携帯電話１００の空間を増加することができる。
【発明の開示】
【発明が解決しようとする課題】
【０００６】
以上の問題点に鑑みて、本発明は、携帯電話の内部空間を少なく占有するカメラモジュール及びカメラモジュール組み立て方法を提供することを目的とする。
【課題を解決するための手段】
【０００７】
少なくとも１つの鏡筒を備える鏡筒モジュールと、該鏡筒モジュールに装着される固体撮像素子と、を含むカメラモジュールにおいて、前記鏡筒の外周面と平面が隣接する所が曲面に形成されている。
【０００８】
固体撮像素子を提供し、外周面と平面が隣接する所を曲面に形成される外部鏡筒を提供し、外周面と平面が隣接する所を曲面に形成される内部鏡筒を提供し、前記内部鏡筒を前記外部鏡筒に装着して鏡筒モジュールを形成し、前記鏡筒モジュールに固体撮像素子を装着してカメラモジュールを組み立てる方法。
【発明の効果】
【０００９】
上述したように、前記鏡筒の平面と外周面隣接する所が曲面に形成されている。だから、前記カメラモジュールを前記携帯電話の内に装着する場合、前記鏡筒の平面が前記携帯電話のカバーの内壁に密着することができる。従って、前記カメラモジュールが携帯電話の内の空間を占めることを減らし、携帯電話のカバーが破損されることも防ぐことができる。且つ、カメラモジュールと携帯電話との間に間隙が形成されないので、前記カメラモジュール揺動することを防ぐことができる。
【発明を実施するための最良の形態】
【００１０】
以下図面に基づいて、本発明の実施形態に係るカメラモジュールに対して詳細に説明する。
【００１１】
図２を参照すると、本発明の第一実施形態に係るカメラモジュール２００は、固体撮像素子５０及び鏡筒モジュール６０を含む。前記固体撮像素子５０は、基板５２と、イメージセンサ５４と、複数の溶接線５６と、透明蓋５８と、を含む。前記鏡筒モジュール６０は、外部鏡筒６２と、内部鏡筒６４と、レンズ６６と、を含む。
【００１２】
前記基板５２は、セラミックまたはガラスなどの材料に製造した板状体である。前記基板５２は、上表面５２０と、該上表面５２０の上に設置された複数の第一溶接部５２２と、を含む。
【００１３】
前記イメージセンサ５４は、前記基板５２の上表面５２０に設置されている。前記イメージセンサ５４の中心に受光部５４０が配置され、前記受光部５４０の周囲に複数の第二溶接部５４２が設置されている。前記第二溶接部５４２は、前記受光部５４０によって生ずる電荷を外部の素子へ転送する。
【００１４】
各々の溶接線５６において、一端は前記第一溶接部５２２に溶接され、他端は対応する前記第二溶接部５４２に溶接されている。前記溶接線５６は、前記受光部５４０と前記基板５２０とを電気的に接続する。
【００１５】
前記透明蓋５８は、前記イメージセンサ５４の上に設置されて、該イメージセンサ５４を保護する。該透明蓋５８は、透明性がよい材料、例えば、ガラスまたはプラスチックなどの材料に製造した。
【００１６】
前記外部鏡筒６２は、中空の円筒体６２１であり、第一平面６２０と、第二平面６２２と、外周面６２４と、を備える。前記第一平面６２０は、前記外部鏡筒６２が前記上表面５２０に垂直になるように、該上表面５２０の上に固定されている。前記外部鏡筒６２の第二平面６２２と外周面６２４とが隣接する箇所は、一定な弧度がある曲面に形成されている。該曲面の半径は、前記カメラモジュール２００を用いる携帯電話のカバーの形状に従って不同に設けることができる。
【００１７】
前記第二平面６２２と前記外周面６２４とが隣接する箇所が曲面で形成されているので、前記カメラモジュール２００を曲面がある携帯電話のカバーの内に容易に装着することができる。従って、カメラモジュール２００が占める携帯電話の空間を節約し、携帯電話のカバーを破損することも防ぐことができる。且つ、前記カメラモジュール２００と携帯電話のカバーとの間に間隙が形成されないから、カメラモジュール２００が揺動することを防ぐことができる。
【００１８】
前記円柱体６２１の内周面には、径方向に沿って軸心へ突出した環状突起６２６が形成されている。前記環状突起６２６の内部直径が前記イメージセンサ５４の受光部５４０の幅より少し大きい。前記環状突起６２６は、前記外部鏡筒６２を上収納部及び下収納部に分ける。前記第一平面６２０の側に置かれる下収納部には、前記イメージセンサ５４が収納され、前記第二平面６２２の側に置かれる上収納部の内壁には、内部ねじ山６２８が設けられている。
【００１９】
前記透明蓋５８のサイズは、前記環状突起６２６の内部直径より大きく、接着剤８０を介して前記環状突起６２６の底面に付着されている。前記環状突起６２６の底面に前記透明蓋５８を付着することは、前記イメージセンサ５４を前記透明蓋５８、基板５２、外部鏡筒６２及び環状突起６２６によって形成された密閉室９０に密閉させて、外部の埃などが入ることを防ぐためである。
【００２０】
前記内部鏡筒６４も、中空の円柱体であり、第三平面６４０と、第四平面６４２と、第二外周面６４４と、を備える。前記第一平面６４０には、外部の光線を内部鏡筒６４の内部へ入射させる孔部６４６が設けられている。前記第二外周面６４４には、前記外部鏡筒６２の内壁に形成された内部ねじ山６２８と螺合する外部ねじ山６４８が設けられている。前記第三平面６４０と前記第二外周面６４４とが隣接する箇所は、一定な弧度がある曲面に形成されている。該曲面の半径は、前記カメラモジュール２００を用いる携帯電話のカバーの形状に従って不同に設けることができる。
【００２１】
前記レンズ６６は、前記内部鏡筒６４の内部に設置されている。前記レンズ６６の中心線が前記イメージセンサ５４の受光部５４０の中心線と重なり、且つ前記第一平面６４０の孔部６４６と同軸になっている。
【００２２】
以下図面に基づいて、本発明の実施形態に係るカメラモジュールを組み立てる方法に対して詳細に説明する。
【００２３】
まず、１つの上表面５２０を備え、該上表面５２０に複数の第一溶接部５２２が設置されている基板５２を提供する。
【００２４】
前記基板５２の上表面５２０に接着剤を塗布し、イメージセンサ５４を前記基板５２の上表面５２０に付着させる。前記前記イメージセンサ５４の中心に受光部５４０が設置され、前記受光部５４０の周囲に複数の第二溶接部５４２が設置されている。
【００２５】
複数の溶接線５６を提供し、各々の溶接線５６の一端を前記基板５２の第一溶接部５２２に溶接し、他端を対応する前記イメージセンサ５４の第二溶接部５４２に溶接する。すると、前記イメージセンサ５４に光線が入射される時、前記受光部５４０によって生ずる電荷が前記基板５２へ転送されることができる。前記溶接線５６は、導電性がよい材料、例えば、金などで製造する。
【００２６】
中空円柱状の外部鏡筒６２を提供する。この外部鏡筒６２は、射出成型装置を介して製造したものである。即ち、溶融状態の成型材料を射出成型に注入し、固化させて、製造するものである。前記外部鏡筒６２は、第一平面６２０と、第二平面６２２と、外周面６２４と、を備え、前記外部鏡筒６２の内壁には、径方向に沿って軸心へ突出した環状突起６２６が形成されている。且つ、前記第二平面６２２と外周面６２４とが隣接する箇所は、一定な弧度がある曲面に形成されている。
【００２７】
前記環状突起６２６の底面に接着剤８０を塗布し、透明蓋５８を前記環状突起６２６の底面に付着する。前記透明蓋５８は、透明性がよい材料、例えば、ガラスまたはプラスチックなどの材料に製造したものである。
【００２８】
中空円柱状の内部鏡筒６４を提供する。前記内部鏡筒６４も外部鏡筒６２のように射出成型方法に製造したものである。前記内部鏡筒６４は、第三平面６４０と、第四平面６４２と、第二外周面６４４と、を備え、前記第三平面６４０には、外部の光線を内部鏡筒６４の内部へ入射させる孔部６４６が設けられている。前記第四外周面６４４には、前記外部鏡筒６２の内壁に形成された内部ねじ山６２８と螺合する外部ねじ山６４８が設けられている。前記第三平面６４０と前記第二外周面６４４とが隣接する箇所は、一定な弧度がある曲面に形成されている。
【００２９】
レンズ６６を提供し、該レンズ６６の中心線と前記第一平面６４０の孔部６４６とが同軸になるように、前記レンズ６６を前記内部鏡筒６４の内部に装着する。
【００３０】
前記外部鏡筒６２の内部ねじ山６２８と前記内部鏡筒６４の外部ねじ山６４８とが螺合するように、前記内部鏡筒６４を前記外部鏡筒６２の内部に装着した後、両者が相対に回転できないように固定させる。
【００３１】
上表面５２０を備える基板５２を提供し、内部鏡筒６４が装着された前記外部鏡筒６２を前記上表面５２０に垂直に固定する。すると、前記基板５２の上表面５２０に付着された前記イメージセンサ５４が、透明蓋５８、基板５２、外部鏡筒６２及び環状突起６２６によって形成された密閉室９０に密閉される。従って、前記イメージセンサ５４に外部の埃などが入ることを防ぐことができる。
【００３２】
図３は、前記カメラモジュール２００を携帯電話４００に装着した状態を示す図である。前記携帯電話４００は、曲面及び表面から構成されるカバー４００１と、表示装置４００２と、キーパッド４００３と、前記本体４００１の内に装着されるカメラモジュール２００と、を含む。前記カメラモジュール２００は、上述したように外部鏡筒６２、内部鏡筒６４等を含む。
【００３３】
前記カメラモジュール２００において、前記外部鏡筒６２の第二平面６２２と外周面６２４とが隣接する箇所と、内部鏡筒６４の第三平面６４０及び第二外周面６４４が隣接する箇所が曲面に形成されている。だから、前記カメラモジュール２００を前記携帯電話４００の内に装着する場合、前記外部鏡筒６２の第二平面６２２と前記内部鏡筒６４の第三平面６４０が前記携帯電話４００のカバー４００１の内壁に密着することができる。従って、前記カメラモジュール２００が占める携帯電話４００の内の空間を減らし、携帯電話４００のカバー４００１が破損されることも防ぐことができる。且つ、カメラモジュール２００と携帯電話との間に間隙が形成されないので、前記カメラモジュール２００が揺動することを防ぐことができる。
【００３４】
前記カメラモジュールに内部鏡筒を設置せずに、少なくとも１つのレンズを直接に外部鏡筒の内部に装着することもできる。
【００３５】
前記外部鏡筒及び内部鏡筒を製造する時、外部鏡筒の第二平面及び外周面が隣接する箇所と、内部鏡筒の第三平面及び第二外周面が隣接する箇所を直角に製造してもよい。この後、切削装置を介して所定の所を曲面に加工することもできる。
【図面の簡単な説明】
【００３６】
【図１】従来の技術に係るカメラモジュールを携帯電話に装着した状態を示す平面図である。
【図２】本発明に係るカメラモジュールを示す平面図である。
【図３】本発明に係るカメラモジュールを携帯電話に装着した状態を示す図である。
【符号の説明】
【００３７】
５０  固体撮像素子
５２  基板
５４  イメージセンサ
５６  溶接線
５８  透明蓋
６０  鏡筒モジュール
６２  外部鏡筒
６４  内部鏡筒
６６  レンズ
８０  接着剤
９０  密閉室
１００  携帯電話
２００  カメラモジュール
３００  カメラモジュール
３０１  外部鏡筒
３０２  内部鏡筒
４００  携帯電話
５２０  上表面
５２２  第一溶接部
５４０  受光部
５４２  第二溶接部
６２０  第一平面
６２１  円筒体
６２２  第二平面
６２４  外周壁
６２６  環状突起
６２８  内部ねじ山
６４０  第三平面
６４２  第四平面
６４４  外周面
６４６  孔部
６４８  外部ネジ山
１００１  カバー
１００２  角部
１００３  空間
１００４  曲面部
１００５  平面部
４００１  カバー
４００２  表示装置
４００３  キーパッド
【図１】
2008079315.tif 000003
【図２】
2008079315.tif 000004
【図３】
2008079315.tif 000005